(57)【要約】  【課題】  指定したデータの再生を迅速に開始する。  【解決手段】  ディスクに記録された複数のデータを再生要求に応じて再生するデータ再生方法であって、各データの先頭データをそれぞれメモリに蓄積し（ステップＳ２０２）、再生要求に応じて指定されたデータの先頭データを再生し（ステップＳ２０３）、先頭データに続くデータを前記ディスクから検索し（ステップＳ２０４）、検索したデータを先頭データの再生中にメモリに蓄積し、前記先頭データの再生に続けてメモリに蓄積されているデータを再生する（ステップＳ２０５）。【選択図】  図２
2006228283.tif 000002
【特許請求の範囲】
【請求項１】
ディスクに記録された複数のデータを再生要求に応じて再生するデータ再生方法であって、
各データの先頭データをそれぞれメモリに蓄積し、
再生要求に応じて指定されたデータの先頭データを再生し、
先頭データに続くデータを前記ディスクから検索し、
検索したデータを先頭データの再生中にメモリに蓄積し、
前記先頭データの再生に続けてメモリに蓄積されているデータを再生するデータ再生方法。
【請求項２】
ディスクに記録された複数のデータを再生要求に応じて再生するデータ再生装置であって、
各データの先頭データを蓄積する第一の領域と、先頭データに続くデータを蓄積する第二の領域と、を有するメモリと、
前記メモリへのアクセスを制御する制御手段と、を備え、
前記制御手段は、各データの先頭データをそれぞれ前記第一の領域に書き込み、再生要求に応じて指定されたデータの先頭データを前記第一の領域から読み出し、先頭データに続くデータを前記ディスクから検索したデータを先頭データの再生中に前記第二の領域に書き込み、前記先頭データの読み出しに続けて前記第二の領域に書き込まれたデータを読み出すデータ再生装置。
【発明の詳細な説明】
【技術分野】
【０００１】
本発明は、ディスクに記録された複数のデータを再生要求に応じて再生するデータ再生方法及びデータ再生装置に関する。
【背景技術】
【０００２】
従来、音楽データがデジタル方式で記録されたＣＤ（Compact Disc）やＭＤ（MiniDisc）等の記録媒体の再生においては、再生したい所望の曲を、操作者が迅速に選択できる方法などが各種提案されてきた。例えば、選択したい曲が記録されている部分へのアクセス速度を変化させることにより、収録された曲数が多い場合でも、迅速且つ容易に選曲操作が行えるディスク再生装置の選局方法などがある（例えば、特許文献１参照）。
【特許文献１】特開２００３−８５９５３号公報（第２−３頁、第１図）
【発明の開示】
【発明が解決しようとする課題】
【０００３】
図８は、従来の圧縮オーディオ再生装置における音声圧縮データ再生方法の制御手順を示すフローチャートである。フローチャートでは、ＴＯＣ（Table Of Contents）リード終了後、または再生停止状態から操作者の入力により再生が開始される際の手順を示している。
【０００４】
はじめに、ＴＯＣに記載された現在再生すべき曲のディスク上のアドレスを取得し、ピックアップを目的のアドレスまで移動させる（ステップＳ８０１）。ここで現在の曲とは、通常モードではＴＯＣに記載された最初の曲、プログラム再生モードやイントロ再生モードではプログラムされた最初の曲、または操作者によって指定された曲を示す。
【０００５】
次に、目的アドレスまでピックアップを移動させた後、光ディスクに記録された音声圧縮データを読み込み、半導体メモリへの書き込みを開始する（ステップＳ８０２）。尚、同時に半導体メモリは音声圧縮データを読み出し、伸長しながら音声出力する（ステップＳ８０３）。次曲の再生要求が発生するまで、音声圧縮データの読み込み、半導体メモリへの書き込み、半導体メモリからの読み出し、音声圧縮データの伸長が繰り返される。
【０００６】
次曲の再生要求が発生した場合（ステップＳ８０４）、次に再生すべき曲に関するディスク上のアドレスをＴＯＣ情報から取得し、ピックアップを目的のアドレスまで移動させる（ステップＳ８０５）。目的アドレスまでピックアップが移動すると、光ディスクに記録された音声圧縮データを読み込み、半導体メモリへの書き込みを開始し（ステップＳ８０６）、音声圧縮データを伸長しながら音声出力を開始する(ステップＳ８０７)。
【０００７】
このように、従来の音声圧縮データ再生方法では、曲の再生要求が発生してから当該曲の音声出力が開始するまでに、現在再生中の音声出力を停止し、半導体メモリに蓄積されたデータをクリアして、その後、次曲の先頭アドレスへのサーチを開始し、サーチが完了してから半導体メモリに音声圧縮データを蓄積するという手順が必要であった。そのため次曲の選択から音声出力の開始までに時間がかかるという課題があった。
【０００８】
操作者が手動で次曲を指定する場合以外でも、例えば、予め操作者が登録した曲を自動的に再生するプログラム再生機能や、曲の先頭から一定時間のみ再生した後に次曲へ再生を移行し、同様に先頭から一定時間のみ再生するイントロ再生機能などの特殊な再生を行う場合においても、次曲の再生開始処理は上記の制御手順と同じであるため、同様の課題があった。
【０００９】
本発明は、上記事情に鑑みてなされたものであって、指定したデータの再生を迅速に開始することができるデータ再生方法及びデータ再生装置を提供することを目的とする。
【課題を解決するための手段】
【００１０】
本発明のデータ再生方法は、ディスクに記録された複数のデータを再生要求に応じて再生するデータ再生方法であって、各データの先頭データをそれぞれメモリに蓄積し、再生要求に応じて指定されたデータの先頭データを再生し、先頭データに続くデータを前記ディスクから検索し、検索したデータを先頭データの再生中にメモリに蓄積し、前記先頭データの再生に続けてメモリに蓄積されているデータを再生する。
【００１１】
上記構成によれば、各データの先頭データがそれぞれメモリに蓄積されていることにより、再生対象のデータが指定されると、即座に指定された先頭データを再生することができる為、指定したデータの再生を迅速に開始することができる。また、上記構成によれば、先頭データの再生中に、先頭データに続くデータがメモリに蓄積されることにより、先頭データに続くデータを先頭データに続けて途切れることなく再生することができる。
【００１２】
また、本発明のデータ再生装置は、ディスクに記録された複数のデータを再生要求に応じて再生するデータ再生装置であって、各データの先頭データを蓄積する第一の領域と、先頭データに続くデータを蓄積する第二の領域と、を有するメモリと、前記メモリへのアクセスを制御する制御手段と、を備え、前記制御手段が、各データの先頭データをそれぞれ前記第一の領域に書き込み、再生要求に応じて指定されたデータの先頭データを前記第一の領域から読み出し、先頭データに続くデータを前記ディスクから検索データを先頭データの再生中に前記第二の領域に書き込み、前記先頭データの読み出しに続けて前記第二の領域に書き込まれたデータを読み出すものである。
【発明の効果】
【００１３】
本発明によれば、各データの先頭データがそれぞれメモリに蓄積されていることにより、再生対象のデータが指定されると、即座に指定された先頭データを再生することができる為、指定したデータの再生を迅速に開始することができる。
【発明を実施するための最良の形態】
【００１４】
以下、添付図面を参照しながら本発明の実施形態に係る圧縮オーディオ再生装置について詳細に説明する。
【００１５】
図１は、本発明の実施の形態における圧縮オーディオ再生装置の内部構成を示すブロック図である。圧縮オーディオ再生装置は、光ディスクに記録された複数の音声圧縮データ（曲）を再生要求に応じて再生するものであり、操作者が入力を行うキー入力部１００、電源ＯＦＦの状態でも保持されるデータを格納するＥＥＰＲＯＭなどの不揮発性メモリ１０１、光ディスク２００から読み出した音声圧縮データを格納する半導体メモリ１０２、圧縮オーディオ再生装置全体を制御するシステムコントローラ１０３、圧縮された音声データの伸長や、ピックアップをディスクに追従させるための制御を行うサーボコントローラ／デコーダ１０４、伸長された音声データをアナログ信号に変換するＤ／Ａ変換器１０５、アナログ信号を増幅するためのアンプ１０６、スピーカ１０７、光ディスク２００の回転制御を行うスピンドルモータ１０８、ピックアップ１０９、ピックアップが読み出した信号を増幅するためのＲＦアンプ１１０、ピックアップ台をディスクの内外周方向へ移動させるトラバースモータ１１１を備える。
【００１６】
本実施形態において、半導体メモリ１０２は、各音声圧縮データの先頭データを蓄積する曲先頭データ格納領域１０２ａと、再生中の曲の先頭データに続くデータを蓄積する再生用データ格納領域１０２ｂとに分割されている。尚、曲先頭データ格納領域と再生用データ格納領域とは、それぞれ専用メモリを用いてもよい。
【００１７】
光ディスク２００に記録されている全ての曲の先頭部分のデータは、ディスク情報取得後に、予め設定された所定量ずつ曲先頭データ格納領域１０２ａに蓄積される。再生用データ格納領域１０２ｂには、再生中の曲の音声圧縮データが書き込まれ、それが読み出されて伸長されることにより再生が行われる。
【００１８】
システムコントローラ１０３及びサーボコントローラ／デコーダ１０４は、半導体メモリ１０２へのアクセスを制御するものであり、各音声圧縮データ（曲）の先頭データをそれぞれ曲先頭データ格納領域１０２ａに書き込み、再生要求に応じて指定された曲の先頭データを曲先頭データ格納領域１０２ａから読み出し、先頭データに続くデータを光ディスク２００から検索し、検索したデータを先頭データの再生中に再生用データ格納領域１０２ｂに書き込み、先頭データの読み出しに続けて再生用データ格納領域１０２ｂに書き込まれたデータを読み出す。尚、システムコントローラ１０３は、マイクロコンピュータで構成され、圧縮オーディオ再生装置全体の制御は、制御用プログラムをこのマイクロコンピュータが実行することによりソフトウエア的に実現される。
【００１９】
サーボコントローラ／デコーダ１０４は、任意の曲の再生中に操作者が別の曲の再生要求を入力した場合や、プログラム再生時、イントロ再生時など、次曲へのサーチが発生した場合、最初に半導体メモリ１０２の読み出し位置を曲先頭データ格納領域１０２ａに移動して、先頭部分の圧縮データから伸長、再生を開始させる。そして、その間にピックアップ１０９を移動させ、当該曲の残り部分のデータを光ディスク２００から取得して半導体メモリの再生用データ格納領域１０２ｂに蓄積する。
【００２０】
次に、上記構成の圧縮オーディオ再生装置の動作について説明する。
【００２１】
図２は、本発明の実施の形態における圧縮オーディオ再生装置の、指定曲再生方法の制御手順を示すフローチャートである。フローチャートでは、ＴＯＣリード終了後、または再生停止状態から操作者の入力により再生が開始される際の手順を示している。はじめに、システムコントローラ１０３が、ピックアップ１０９、ＲＦアンプ１１０を介して光ディスク２００のＴＯＣに記録された再生すべき曲のディスク上のアドレスを取得する（ステップＳ２０１）。
【００２２】
次に、システムコントローラ１０３は、全ての曲の先頭部分にある所定量の音声圧縮データを光ディスク２００から取得して、半導体メモリ１０２の曲先頭データ格納領域１０２ａに書き込むようサーボコントローラ／デコーダ１０４に指示する（ステップＳ２０２）。図３は、半導体メモリ１０２におけるデータの蓄積状態を模式的に示す図である。図の上段は、光ディスク２００に記録されている音声圧縮データのデータ構成を模式的に表したものである。図に示すように、光ディスク２００に記録されているすべての曲の先頭部分のデータ（Ｒ１からＲｎまで）が、半導体メモリ１０２の曲先頭データ格納領域１０２ａに記録される。
【００２３】
次に、圧縮オーディオ再生装置の操作者がキー入力部１００から曲の再生要求を入力すると、システムコントローラ１０３は、サーボコントローラ／デコーダ１０４に、現在再生すべき曲の先頭部分の音声圧縮データを、半導体メモリ１０２の曲先頭データ格納領域１０２ａから取得し、データを伸長して再生を開始するように指示する（ステップＳ２０３）。ここで現在再生すべき曲とは、通常モードではＴＯＣに記載された最初の曲、またプログラム再生モードやイントロ再生モードではプログラムされた最初の曲、または操作者によって指定された曲を示す。本実施形態によれば、再生要求の発生後にピックアップ１０９を移動させて当該曲の先頭部分のデータを光ディスク２００から取得する必要がないので、音声出力までの待ち時間をなくすことができ、機械的なアクセス時間分だけ曲の再生開始を早めることができる。
【００２４】
同時に、サーボコントローラ／デコーダ１０４は、トラバースモータ１１１を駆動させ、ピックアップ１０９、ＲＦアンプ１１０を介して光ディスク２００上にある指定された再生すべき曲の残り部分のデータ（先頭データに続くデータ）をサーチ（検索）し（ステップＳ２０４）、半導体メモリ１０２の再生用データ格納領域１０２ｂへの書き込みを開始する（ステップＳ２０５）。
【００２５】
図４は、現在再生すべき曲がＴＮＯ１である場合の、再生開始時におけるデータアクセスの状況を模式的に示す図である。サーボコントローラ／デコーダ１０４は、再生要求の発生を受けて、ＴＮＯ１の先頭部分のデータＲ１を曲先頭データ格納領域１０２ａから取得する。また、ピックアップ１０９を移動させて、再生用データ格納領域１０２ｂへ格納するＴＮＯ１の残り部分のデータＬ１を光ディスク２００上でサーチする。
【００２６】
図５は、現在再生すべき曲がＴＮＯ１である場合の、再生中に使用する半導体メモリ１０２のデータ領域を模式的に示す図である。
【００２７】
フローチャートに戻り、その後、曲先頭データ格納領域１０２ａに格納された音声圧縮データの伸長が全て終了したら、サーボコントローラ／デコーダ１０４は、曲の再生が整合するように、継続して再生用データ格納領域１０２ｂに格納した音声圧縮データＬ１を伸長して再生する（ステップＳ２０５）。
【００２８】
次に曲の再生状態において、操作者がキー入力部１００を介して、次に再生されるべき曲の再生要求を入力する。ここで、次に再生すべき曲とは、通常モードではＴＯＣに記載された次の曲、プログラム再生モードやイントロ再生モードでは次に指定された曲、または操作者によって指定された曲を示す。
【００２９】
次に再生すべき曲の先頭部分の音声圧縮データも、既に半導体メモリ１０２の曲先頭データ格納領域１０２ｂに格納されているため、システムコントローラ１０３は、サーボコントローラ／デコーダ１０４に、次に再生すべき曲の先頭部分の音声圧縮データを、半導体メモリ１０２の曲先頭データ格納領域１０２ａから取得し、データを伸長して再生を開始するように指示する（ステップＳ２０６）。このときも、再生要求の発生後にピックアップ１０９を移動させて当該曲の先頭部分のデータを光ディスク２００から取得する必要がないので、音声出力までの待ち時間をなくすことができ、機械的なアクセス時間分だけ曲の再生開始を前倒しすることができる。
【００３０】
同時に、サーボコントローラ／デコーダ１０４は、トラバースモータ１１１を駆動させ、ピックアップ１０９、ＲＦアンプ１１０を介して光ディスク２００上にある次に再生すべき曲（ＴＮＯ２）の残り部分のデータをサーチし（ステップＳ２０７）、半導体メモリ１０２の再生用データ格納領域１０２ｂへの書き込みを開始する。
【００３１】
残り部分のデータのサーチ、即ち、ピックアップ１０９の移動とデータの取得は、曲先頭データ格納領域１０２ａに格納された先頭部分のデータの再生が行われている間に実行される。従って、この曲先頭データ格納領域１０２ａにおける個々のデータ容量は、少なくともピックアップ１０９の移動とデータ取得に要する時間以上の再生時間が確保できる容量とする必要がある。
【００３２】
図６は、次に再生すべき曲がＴＮＯ２である場合の、再生開始時におけるデータアクセスの状況を模式的に示す図である。サーボコントローラ／デコーダ１０４は、再生要求の発生を受けて、ＴＯＮ２の先頭部分のデータＲ２を曲先頭データ格納領域１０２ｂから取得する。また、ピックアップ１０９を移動させて、再生用データ格納領域１０２ｂへ格納するＴＮＯ２の残り部分のデータＬ２を光ディスク２００上でサーチする。
【００３３】
図７は、次に再生すべき曲がＴＮＯ２である場合の、再生中に使用する半導体メモリ１０２のデータ領域を模式的に示す図である。
【００３４】
フローチャートに戻り、その後、曲先頭データ格納領域１０２ａに格納された音声圧縮データの伸長が全て終了したら、サーボコントローラ／デコーダ１０４は、曲の再生が整合するように、継続して再生用データ格納領域１０２ｂに格納した音声圧縮データＬ２を伸長して再生する（ステップＳ２０８）。
【００３５】
以上説明したように、本実施形態の圧縮オーディオ再生装置及び再生方法によれば、光ディスクに記録される各曲の先頭データがそれぞれメモリに蓄積されていることにより、再生対象のデータが指定されると、即座に指定された先頭データを再生することができる為、指定した曲の再生を迅速に開始することができる。また、上記構成によれば、先頭データの再生中に、先頭データに続くデータがメモリに蓄積されることにより、先頭データに続くデータを先頭データに続けて途切れることなく再生することができる。
【００３６】
尚、上記説明では、光ディスクに記録された曲を再生する例を示したが、ディスクの種類やデータの種類はこれに限らない。
【産業上の利用可能性】
【００３７】
本発明は、各データの先頭データがそれぞれメモリに蓄積されていることにより、再生対象のデータが指定されると、即座に指定された先頭データを再生することができる為、指定したデータの再生を迅速に開始することができる効果を有し、ディスクに記録された複数のデータを再生要求に応じて再生するデータ再生方法及びデータ再生装置等に有用である。
【図面の簡単な説明】
【００３８】
【図１】本発明の実施の形態における圧縮オーディオ再生装置の内部構成を示すブロック図
【図２】本発明の実施の形態における圧縮オーディオ再生装置の、指定曲再生方法の制御手順を示すフローチャート
【図３】半導体メモリにおけるデータの蓄積状態を模式的に示す図
【図４】現在再生すべき曲がＴＮＯ１である場合の、再生開始時におけるデータアクセスの状況を模式的に示す図
【図５】現在再生すべき曲がＴＮＯ１である場合の、再生中に使用する半導体メモリのデータ領域を模式的に示す図
【図６】次に再生すべき曲がＴＮＯ２である場合の、再生開始時におけるデータアクセスの状況を模式的に示す図
【図７】現在再生すべき曲がＴＮＯ２である場合の、再生中に使用する半導体メモリのデータ領域を模式的に示す図
【図８】従来の圧縮オーディオ再生装置における指定曲再生方法の制御手順を示すフローチャート
【符号の説明】
【００３９】
１００  キー入力部
１０１  不揮発性メモリ
１０２  半導体メモリ
１０２ａ  曲先頭データ格納領域
１０２ｂ  再生用データ格納領域
１０３  システムコントローラ
１０４  サーボコントローラ／デコーダ
１０５  Ｄ／Ａ変換器
１０６  アンプ
１０７  スピーカ
１０８  スピンドルモータ
１０９  ピックアップ
１１０  ＲＦアンプ
１１２  トラバースモータ
２００  光ディスク
【図１】
2006228283.tif 000003
【図２】
2006228283.tif 000004
【図３】
2006228283.tif 000005
【図４】
2006228283.tif 000006
【図５】
2006228283.tif 000007
【図６】
2006228283.tif 000008
【図７】
2006228283.tif 000009
【図８】
2006228283.tif 000010